(57)【要約】【課題】  親子や友人二人が並んだ座り姿勢で使用でき、電子情報機器端末の本体装置を天板下に格納して隠すことによって、図書館等で使用する場合にも外観的に優れ、しかも配線機能を備えた座り姿勢用の情報検索台を提供する。【解決手段】  平面視四角形の収納体１の上面に、前縁に前方へ湾曲し曲率半径が大きな広幅前縁部５を形成し、後縁中央部に後方へ湾曲した広幅前縁部よりも曲率半径が小さな凸縁部６を形成した天板３を取付け、収納体の背面から天板の凸縁部の後方突出長さより収納体の前面から前記天板の広幅前縁部の前方突出長さを長く設定し、天板の背後に、該天板の後縁の形状に沿った平面視湾曲したバックパネル４を該天板の後縁との間に配線空間７を設けて配し、バックパネルは収納体の背面の略全面を覆い且つ上部は天板よりも上方に位置している。【選択図】        図１
2006129970.tif 000002
【特許請求の範囲】
【請求項１】
平面視四角形の収納体の上面に、前縁に前方へ湾曲した曲率半径が大きな広幅前縁部を形成するとともに、後縁中央部に後方へ湾曲し前記広幅前縁部よりも曲率半径が小さな凸縁部を形成した天板を取付け、前記収納体の背面から前記天板の凸縁部の後方突出長さより前記収納体の前面から前記天板の広幅前縁部の前方突出長さを長く設定したことを特徴とする座り姿勢用の情報検索台。
【請求項２】
前記天板の背後に、該天板の後縁の形状に沿った平面視湾曲したバックパネルを該天板の後縁との間に配線空間を設けて配するとともに、該バックパネルは前記収納体の背面の略全面を覆い且つ上部は天板よりも上方に位置してなる請求項１記載の座り姿勢用の情報検索台。
【請求項３】
前記収納体の下端に支持脚を設け、該支持脚は前記収納体の対角線に沿って互に交差させた２本の接地杆を有し、各接地杆の端部は前記天板の周縁と略同一又は若干突出してなる請求項１又は２記載の座り姿勢用の情報検索台。
【請求項４】
前記天板の後部であって、前記収納体に連通した位置にコード挿通孔を形成してなる請求項１〜３何れかに記載の座り姿勢用の情報検索台。
【請求項５】
前記収納体は、前面に開閉扉を設けるとともに、側面板及び背面板に複数の通気孔を開設し、更に背面板の下部に配線コードを引き出す開口を形成してなる請求項１〜４何れかに記載の座り姿勢用の情報検索台。
【発明の詳細な説明】
【技術分野】
【０００１】
本発明は、座り姿勢用の情報検索台に係わり、更に詳しくは図書館等で書籍情報等を電子情報機器端末で検索するために使用する座り姿勢用の情報検索台に関するものである。
【背景技術】
【０００２】
従来から、電子情報機器端末を置いて使用するためのＯＡ用机又はテーブルは各種提供されている。例えば、本出願人の先願に係る特許文献１には、電子情報機器端末のモニター用ディスプレイを作業机の上に配設し、電子情報機器端末の本体装置を作業机の下に配設するＯＡ（オフィス・オートメーション）機器用家具において、ＯＡ機器を配置する上記作業机の奥側縁に沿って立て掛けたパーティションを有し、上記作業机の天板の奥側端縁に切欠部を形成し、該切欠部にルーバーを配設するとともに、該切欠部の下側に作業机の下側から作業机の上側に送風する送風機を設け、机下を、前記本体装置を設置した部分と他の部分とに区切る仕切板を配設し、床下から空調用調和空気を室内に吹き出す床下空調装置の吹出口を、机下であって上記本体装置を配置した部分に臨ませて配設し、該吹出口から机下に調和空気を吹き出すＯＡ機器用家具構造が開示されている。
【０００３】
また、同じく本出願人の先願に係る特許文献２には、左右両側に立設した支柱間に、複数のブロックパネルを上下に配線用空間を設けて着脱可能に取付けるとともに、前記支柱の前面側には左右両側をブラケットで支持した単又は複数の載置板を、着脱可能且つ高さ調節可能に取付けたパネル付きパソコンデスクが開示されている。
【０００４】
前述の特許文献１に記載のＯＡ用机又はテーブルは、構造が複雑で電子情報機器端末の本体装置の強制冷却手段を備えるものであり、高価である。また、また、特許文献２に記載されたパネル付きパソコンデスクは、天板の背後に上方へ延びたパネルを備え、天板にモニター用ディスプレイを載置し、下段の載置板に電子情報機器端末の本体装置を収容できるものの、下段の載置板に収容した本体装置が露出するので、図書館等の公共の場で使用するには、安全上、セキュリティ上に問題があり、また外観的にも不似合いである。
【特許文献１】特開平７−５９６１９号公報
【特許文献２】特開２００１−２４５７３１号公報
【発明の開示】
【発明が解決しようとする課題】
【０００５】
そこで、本発明が前述の状況に鑑み、解決しようとするところは、親子や友人二人が並んだ座り姿勢で使用することができ、電子情報機器端末の本体装置を天板下に格納して見えなくすることによって、図書館等で使用する場合にも外観的に優れ、しかも配線機能を備えた座り姿勢用の情報検索台を提供する点にある。
【課題を解決するための手段】
【０００６】
本発明は、前述の課題解決のために、平面視四角形の収納体の上面に、前縁に前方へ湾曲し曲率半径が大きな広幅前縁部を形成するとともに、後縁中央部に後方へ湾曲した前記広幅前縁部よりも曲率半径が小さな凸縁部を形成した天板を取付け、前記収納体の背面から前記天板の凸縁部の後方突出長さより前記収納体の前面から前記天板の広幅前縁部の前方突出長さを長く設定してなる座り姿勢用の情報検索台を構成した（請求項１）。
【０００７】
ここで、前記天板の背後に、該天板の後縁の形状に沿った平面視湾曲したバックパネルを該天板の後縁との間に配線空間を設けて配するとともに、該バックパネルは前記収納体の背面の略全面を覆い且つ上部は天板よりも上方に位置してなることが好ましい（請求項２）。
【０００８】
また、前記収納体の下端に支持脚を設け、該支持脚は前記収納体の対角線に沿って互に交差させた２本の接地杆を有し、各接地杆の端部は前記天板の周縁と略同一又は若干突出してなることも好ましい（請求項３）。
【０００９】
また、前記天板の後部であって、前記収納体に連通した位置にコード挿通孔を形成してなるも好ましい（請求項４）。
【００１０】
そして、前記収納体は、前面に開閉扉を設けるとともに、側面板及び背面板に複数の通気孔を開設し、更に背面板の下部に配線コードを引き出す開口を形成してなることがより好ましい（請求項５）。
【発明の効果】
【００１１】
以上にしてなる請求項１に係る発明の座り姿勢用の情報検索台は、平面視四角形の収納体の上面に天板を取付け、該天板上に電子情報機器端末のモニター用ディスプレイやキーボード、マウス等の入出力装置を載置するとともに、収納体の内部に電子情報機器端末の本体装置やＤＶＤプレヤー、ＶＴＲ等の情報再生記録装置を格納して使用することができ、該天板は前縁に前方へ湾曲した曲率半径が大きな広幅前縁部を形成し、しかも前記収納体の背面から前記天板の凸縁部の後方突出長さより前記収納体の前面から前記天板の広幅前縁部の前方突出長さを長く設定したので、親子や友人二人が並んだ座り姿勢で使用することができ、また天板の後部にモニター用ディスプレイ、前部にキーボード、マウス等の入出力装置を載置するので、天板の上面に載置する機器の重量バランスは後部寄りになるが、その下方に収納体が位置するので安定であり、更に天板の後縁中央部に後方へ湾曲し前記広幅前縁部よりも曲率半径が小さな凸縁部を形成したので、天板の平面視形状が卵形若しくはハマグリ形となって外観性において柔らかく、落ち着いた感じを作り出すことができるばかりでなく、天板の上を広くすることができる。
【００１２】
請求項２によれば、バックパネルと天板の後縁との間に形成された配線空間を利用して、収納体の内部に電子情報機器端末の本体装置等と、天板上に載置した電子情報機器端末のモニター用ディスプレイやキーボード、マウス等の入出力装置との接続コードを配線することができ、また収納体の背面の略全面がバックパネルで覆われているので外観的に優れており、更にバックパネルの上部は天板よりも上方に位置しているので目隠し作用があり、落ち着いて情報検索ができるのである。
【００１３】
請求項３によれば、天板上に電子情報機器端末のモニター用ディスプレイやキーボード、マウス等の入出力装置を載置し、収納体の内部に電子情報機器端末の本体装置やＤＶＤプレヤー、ＶＴＲ等の情報再生記録装置を格納しても安定して支持することができ、しかも天板の広幅前縁部に親子や友人二人が並んで座っても支持脚が邪魔にならないのである。
【００１４】
請求項４によれば、天板に設けたコード挿通孔を利用して、収納体の内部に電子情報機器端末の本体装置等と、天板上に載置した電子情報機器端末のモニター用ディスプレイやキーボード、マウス等の入出力装置との接続コードを直接配線することができる。
【００１５】
請求項５によれば、収納体に電子情報機器端末の本体装置等を格納した後に開閉扉を閉じて完全に隠蔽することができ、開閉扉を閉じることによる放射熱の滞留弊害を、収納体の側面板及び背面板に複数の通気孔を開設することにより解消し、更に背面板に形成した開口を通して、アクセスフロアやその他の床下配線ダクトへの配線コードの引き出しが容易に行え、しかも開口はバックパネルで隠れた位置に形成されるので、配線コードが露出することもないのである。
【発明を実施するための最良の形態】
【００１６】
次に、添付図面に示した実施形態に基づき、本発明を更に詳細に説明する。図１は本発明に係る座り姿勢用の情報検索台の第１実施形態を示し、図２〜図６はその詳細を示し、図中符号１は収納体、２は支持脚、３は天板、４はバックパネルをそれぞれ示している。
【００１７】
本発明に係る座り姿勢用の情報検索台は、平面視四角形の収納体１の下端を支持脚２で支持し、該収納体１の上面に、前縁に前方へ湾曲し曲率半径が大きな広幅前縁部５を形成するとともに、後縁中央部に後方へ湾曲した前記広幅前縁部５よりも曲率半径が小さな凸縁部６を形成した天板３を取付け、前記収納体１の背面から前記天板３の凸縁部６の後方突出長さより前記収納体１の前面から前記天板３の広幅前縁部５の前方突出長さを長く設定し、更に前記天板３の背後に、該天板３の後縁の形状に沿った平面視湾曲したバックパネル４を該天板３の後縁との間に配線空間７を設けて配するとともに、該バックパネル４は前記収納体１の背面の略全面を覆い且つ上部は天板３よりも上方に位置している。
【００１８】
更に、前記天板３の後部であって、前記収納体１に連通した位置にコード挿通孔８を形成し、このコード挿通孔８には召し合わせ部にコード挿通用の切欠部を有する一対の開閉カバー９が装着されている。
【００１９】
そして、前記天板３の上面には、図１に示すように、電子情報機器端末のモニター用ディスプレイ１０及びキーボード１１やマウス１２を載置し、前記収納体１の内部には電子情報機器端末の本体装置１３を格納している。そして、前記バックパネル４と天板３の後縁との間に形成された配線空間７を利用して、収納体１の内部の本体装置１３と、天板３上に載置したモニター用ディスプレイ１０やキーボード１１、マウス１２との接続コード１４を配線する。また、前記天板３に設けたコード挿通孔８を利用して接続コード１４を直接配線するのである。ここで、前記接続コード１４のコネクタが大きい場合には、前記開閉カバー９を開いてコネクタをコード挿通孔８に通した後、接続コード１４を開閉カバー９の切欠部で逃しながら該開閉カバー９を閉じる。
【００２０】
更に詳しくは、前記収納体１は、平面視四角形のキャビネットであり、前面に開閉扉１５を設けるとともに、側面板１６，１６及び背面板１７に複数の通気孔１８，…を開設し、更に背面板１７の下部であって前記バックパネル４で隠れた位置に配線コード１９を引き出す開口２０を形成している。尚、前記天板３上から配線空間７を通して下方に導いた接続コード１４を、前記開口２０から収容体１の内部へ引き込み、前記本体装置１３に接続する。ここで、前記側面板１６，１６及び背面板１７をパンチングメタルで形成することも好ましい。尚、前記収納体１は、底板２１と上面板２２を有するとともに、上下中間に適宜単又は複数の棚板を設ける。そして、前記天板３のコード挿通孔８に対応する前記上面板２２には、略同形の切欠口２３を形成している。
【００２１】
前記支持脚２は、図２に示すように、前記収納体１の対角線に沿って互に交差させた２本の接地杆２４，２４を有し、各接地杆２４，２４の端部は前記天板３の周縁と略同一又は若干突出するような長さを有し、該接地杆２４，２４の交差部分は前記収納体１の外側面の輪郭と略一致した平面視形状の巾木部材２５で覆い、前記接地杆２４，２４の端部にはキャスター２６，…を設けている。そして、前記支持脚２の上に前記収納体１を載置し、該収納体１の内部から前記底板２１を接地杆２４，２４にネジ止めするとともに、前記収納体１の上面板２２に前記天板３を載置し、該収納体１の内部から上面板２２と天板３をネジ止めする。ここで、前記支持脚２の接地杆２４，２４の先端部は、前記天板３の周縁と略同一又は若干突出しているので、前記収納体１及び天板３を安定に支持することができる。
【００２２】
また、前記バックパネル４を天板３の後縁との間に配線空間７を設けて取付ける構造を説明する。図２、図３、図５及び図６に示すように、前記天板３の後縁の凸縁部６の下面に、左右１対のＬ字形金具２７，２７の各水平片２８をネジ止めし、Ｌ字形金具２７，２７の各垂直片２９の上下部に後方へ向けて突設したスペーサー３０，３０を前記バックパネル４の前面に当接した状態で背面からネジ止めして、前記天板３にバックパネル４を垂直に取付けている。この取付状態で、前記バックパネル４は、下端が前記支持脚２の近傍まで延び、上部は天板３よりも十分に高い位置まで延びている。本実施形態では、前記天板３の床面からの高さを標準の机と同じ７００ｍｍとし、前記バックパネル４の天板３から上方に突出する高さを３００ｍｍとしている。尚、前記バックパネル４は、半透明若しくは不透明の合成樹脂製で作成しているが、金属製でもよく、その場合にはパンチングメタル等を利用できる。
【００２３】
このような第１実施形態の座り姿勢用の情報検索台は、前記天板３の広幅前縁部５に親子若しくは友人二人が並んで座って使用することができ、前記収納体１の前面よりも前記天板３の広幅前縁部５が十分に前方へ突出し、広い足入れ空間を設けているので、楽に座ることができ、更に前記支持脚２の接地杆２４，２４は、収納体１の対角線に沿って延びているので、それほど邪魔になることがないのである。また、通常は前記天板３の上面の後部にモニター用ディスプレイ１０、前部にキーボード１１、マウス１２等の入出力装置を載置するので、モニター用ディスプレイ１０の方がキーボード１１、マウス１２等よりも重いので、重量バランスは後部寄りになるが、天板３とその上面に載置する機器の重量を合わせた合成重心が前記収納体１の上に位置するので安定であり、更に収納体１の底板２１に重量のある本体装置１３が載置されるので、更に安定度が増すのである。
【００２４】
図７は、本発明の座り姿勢用の情報検索台の第２実施形態であり、本実施形態は前述の第１実施形態と天板３の高さが低いという以外は、構造的に全く同一である。つまり、前記収納体１の高さを低く設定するとともに、前記バックパネル４の高さを低く設定し、天板３の高さを５８０ｍｍとし、小学校低学年の児童が楽に使用できる高さにしたのである。尚、前記天板３の高さにおける具体的な数値は、一例を示したものであり、前述の第１実施形態と本実施形態の中間の任意の値をとること、あるいは第１実施形態よりも高く、本実施形態よりも低い場合もあり得るのである。その他の構成は、前記同様であるので、同一構成には同一符号を付してその説明は省略する。
【図面の簡単な説明】
【００２５】
【図１】本発明の座り姿勢用の情報検索台の第１実施形態を示す斜視図である。
【図２】同じく分解斜視図である。
【図３】同じく平面図である。
【図４】同じく正面図である。
【図５】同じく側面図である。
【図６】同じく背面図である。
【図７】本発明の座り姿勢用の情報検索台の第２実施形態を示す斜視図である。
【符号の説明】
【００２６】
１  収納体
２  支持脚
３  天板
４  バックパネル
５  凹縁部
６  凸縁部
７  配線空間
８  コード挿通孔
９  開閉カバー
１０  モニター用ディスプレイ
１１  キーボード
１２  マウス
１３  本体装置
１４  接続コード
１５  開閉扉
１６  側面板
１７  背面板
１８  通気孔
１９  配線コード
２０  開口
２１  底板
２２  上面板
２３  切欠口
２４  接地杆
２５  巾木部材
２６  キャスター
２７  Ｌ字形金具
２８  水平片
２９  垂直片
３０  スペーサー
【図１】
2006129970.tif 000003
【図２】
2006129970.tif 000004
【図３】
2006129970.tif 000005
【図４】
2006129970.tif 000006
【図５】
2006129970.tif 000007
【図６】
2006129970.tif 000008
【図７】
2006129970.tif 000009